(57)【要約】      （修正有）【課題】顔面ひきしめ性、小顔効果に優れ、かつ装着時または装着中に耳掛け部分が引き裂け難い耳掛け式フェイスマスクを提供する。【解決手段】少なくとも１つの繊維層を含む伸縮性不織布を打抜いて成形してなるフェイスマスク１であって、フェイスマスクは、着用時に顔全体を覆う顔型本体２と、顎部を吊り上げるように被覆するテープ部分３，４とからなり、顔型本体は、左右の目に対応する位置および鼻に対応する位置に切り込み５，６，７が設けられ、かつ口に対応する位置に曲線状にくり抜かれた開口部８が設けられており、テープ部分は、該テープの両端部に耳掛け孔としての開口部９，１０が設けられている。【選択図】図１
0003190727.tif 000002
【実用新案登録請求の範囲】
【請求項１】
少なくとも１つの繊維層を含む伸縮性不織布を打抜いて成形してなるフェイスマスクであって、フェイスマスクは、着用時に顔全体を覆う顔型本体と、顎部を吊り上げるように被覆するテープ部分とからなり、顔型本体は、左右の目に対応する位置および鼻に対応する位置に切り込みが設けられ、かつ口に対応する位置に曲線状にくり抜かれた開口部が設けられており、テープ部分は、該テープの両端部に耳掛け孔としての開口部が設けられており、顔型本体の下部にテープ部分が具備されている耳掛け式フェイスマスク。
【請求項２】
顔型本体の左右外縁間の最大巾が１５０〜３００ｍｍである、請求項１記載の耳掛け式フェイスマスク。
【請求項３】
口に対応する位置の曲線状にくり抜かれた開口部の下端からフェイスマスクの下端までの長さが８０〜１３０ｍｍである請求項１または２に記載の耳掛け式フェイスマスク。
【請求項４】
耳掛け孔としての開口部が楕円形、涙滴形または勾玉形である請求項１〜３のいずれか１項に記載の耳掛け式フェイスマスク。
【請求項５】
耳掛け孔としての開口部が楕円形であり、楕円形の長軸方向と伸縮性不織布のＭＤ方向とが０度〜６０度の角度であり、楕円形の長軸と短軸との比率が４５：１〜２：１の範囲である請求項４に記載の耳掛け式フェイスマスク。
【請求項６】
耳掛け孔としての開口部の外側の端部とテープ部分の端部との長さが１０ｍｍ以上である請求項１〜５のいずれか１項に記載の耳掛け式フェイスマスク。
【請求項７】
前記繊維層を構成する繊維が、着用時の顔の上下方向に配列する請求項１〜６のいずれか１項に記載の耳掛け式フェイスマスク。
【考案の詳細な説明】
【技術分野】
【０００１】
本考案は顔面ひきしめ効果、小顔効果、顎部たるみの引き上げ効果に優れる、耳掛け式フェイスマスクに関するものである。
【背景技術】
【０００２】
従来から、肌への装着性、使用中の剥がれ落ち防止、リフトアップイメージを訴求した全顔耳掛け式フェイスマスクが提案されている（例えば、特許文献１を参照。）。しかしながら、装着中に顕著なひきしめ感、顎部たるみの引き上げ感を実感できるものは存在しなかった。また、装着時または装着中に耳掛け孔の部分が引き裂けやすいなどの使い難い欠点があった
【先行技術文献】
【特許文献】
【０００３】
【特許文献１】特許第３７８９４３１号
【考案の概要】
【考案が解決しようとする課題】
【０００４】
そこで、本考案は、顔面ひきしめ効果、小顔効果、顎部たるみの引き上げ効果げに優れ、かつ装着時または装着中に耳掛け孔の部分が引き裂け難い耳掛け式フェイスマスクを提供することを課題とする。
【課題を解決するための手段】
【０００５】
前記課題を解決するために本考案者は鋭意検討を行った。その結果、伸縮性に優れる不織布と特定の耳掛け式フェイスマスクの形状とを組み合わせることにより、上記課題を解決できることを見出し、これをもとに本考案を完成させた。
【０００６】
本考案の要旨は以下の通りである。
［１］  少なくとも１つの繊維層を含む伸縮性不織布を打抜いて成形してなるフェイスマスクであって、フェイスマスクは、着用時に顔全体を覆う顔型本体と、顎部を吊り上げるように被覆するテープ部分とからなり、顔型本体は、左右の目に対応する位置および鼻に対応する位置に切り込みが設けられ、かつ口に対応する位置に曲線形状にくり抜かれた開口部が設けられており、テープ部分は、該テープの両端部に耳掛け孔としての開口部が設けられており、顔型本体の下部にテープ部分が具備されている耳掛け式フェイスマスク。
［２］  顔型本体の左右外縁間の最大巾が１５０〜３００ｍｍである、前記［１］に記載の耳掛け式フェイスマスク。
［３］  口に対応する位置の曲線形状にくり抜かれた開口部の下端からフェイスマスクの下端までの長さが８０〜１３０ｍｍである前記［１］または［２］に記載の耳掛け式フェイスマスク。
［４］  耳掛け孔としての開口部が楕円形、涙滴形または勾玉形である前記［１］〜［３］のいずれか１項に記載の耳掛け式フェイスマスク。
［５］  耳掛け孔としての開口部が楕円形であり、楕円形の長軸方向と伸縮性不織布のＭＤ方向とが０度〜６０度の角度であり、楕円形の長軸と短軸との比率が４５：１〜２：１の範囲である前記［４］に記載の耳掛け式フェイスマスク。
［６］  耳掛け孔としての開口部の外側の端部とテープ部分の端部との長さが１０ｍｍ以上である前記［１］〜［５］のいずれか１項に記載の耳掛け式フェイスマスク。
［７］  前記繊維層を構成する繊維が、着用時の顔の上下方向に配列する前記［１］〜［６］のいずれか１項に記載の耳掛け式フェイスマスク。
【考案の効果】
【０００７】
本考案の耳掛け式フェイスマスクは伸縮性に優れる伸縮性不織布で構成されており、また、顔面ひきしめ効果、小顔効果、顎部たるみの引き上げ効果の高い形状を有しているので、装着中に顕著なひきしめ感、顎部たるみの引き上げ感を実感できる。また、伸縮性不織布を構成する繊維の配列方向と交差する方向に耳掛け孔を有し、かつ耳掛け孔をフェイスマスクの外縁部に対して十分な距離を保つデザインとしているので、装着時または装着中にマスクを引っ張っても耳掛け孔の部分が引き裂けにくい。
【図面の簡単な説明】
【０００８】
【図１】本考案の耳掛け式フェイスマスクの平面図である。
【考案を実施するための形態】
【０００９】
以下、本考案について、図面を参照して詳細に説明する。
【００１０】
本考案の耳掛け式フェイスマスクは、図１に示すような、少なくとも１つの繊維層を含む伸縮性不織布を打抜いて成形してなるフェイスマスク（１）であり、着用時にヒトの顔全体を覆うことができる大きさの顔型本体（２）と、顎部を吊り上げるように被覆するテープ部分（３、４）とからなり、テープ部分は顔型本体の下部に具備されている。
【００１１】
顔型本体には、左右の目に対応する位置に切り込み（５、６）が設けられ、鼻に対応する位置に切り込み（７）が設けられ、口に対応する位置に曲線形状にくり抜かれた開口部（８）が各々設けられている。
【００１２】
口に対応する位置に曲線形状にくり抜かれた開口部の形状は、特に限定されないが、唇の形状よりも一回り大きな曲線形状の開口部とすることが好ましく、例えば、横長の楕円形とすることが好ましい。
【００１３】
顔型本体は、左右外縁間の最大巾が１５０〜３００ｍｍであることが好ましい。本考案の耳掛け式フェイスマスクは伸縮性不織布を使用しており、例えばヒトの顔面サイズよりやや小さめにデザインしたフェイスマスクを引き伸ばしながら顔全体を覆うように装着することにより、顕著な顔面ひきしめ効果、小顔効果が得られる。
【００１４】
顔型本体の口に対応する位置の曲線形状にくり抜かれた開口部（８）の下端からフェイスマスクの下端までの長さが８０〜１３０ｍｍであることが好ましい。これにより、テープ部の収縮により発生する力が、顎全体に効率よくかかるようになる。曲線形状の具体例としては、楕円形状が利用できる。
【００１５】
顔型本体の下部に具備されているテープ部分（３、４）の左右両端部には、耳掛け孔としての開口部が設けられている。該耳掛け孔（９、１０）の形状は、楕円形、涙滴形または勾玉形等が好ましい。耳掛け孔としての開口部が楕円形である場合、その長軸の方向と伸縮性不織布のＭＤ方向（１１）とが０〜６０度の角度となるように耳掛け孔を設けることが好ましい。耳掛け孔の長軸と短軸との比率は、４５：１〜２：１の範囲であることが好ましく、さらに、該比率が、２５：１〜２：１であることがより好ましい。このような比率とすることにより、ヒトの耳に耳掛け孔（９、１０）を容易に装着することができる。なお、不織布のＭＤ方向とは、不織布の機械方向を示す。
【００１６】
顔型本体の下部に具備されたテープ部分に設けられた耳掛け孔としての開口部において、フェイスマスクの外側の端部までの長さが１０ｍｍ以上であることが好ましい。該距離を１０ｍｍ以上とすることで、フェイスマスクの外縁部に対して十分な距離を保つデザインとなり、フェイスマスクの装着時または装着中にフェイスマスクを引っ張っても耳掛け部分が引き裂けにくくなるため、好ましい。
【００１７】
本考案の耳掛け式フェイスマスクは、伸縮性不織布に含まれる少なくとも１つの繊維層を構成する繊維が、フェイスマスク着用時の顔の上下方向に配列することが好ましい。このように配列することにより、フェイスマスクの装着時または装着中にフェイスマスクを引っ張っても耳掛け部分が引き裂けにくくなる。不織布を構成する繊維を、フェイスマスク着用時に顔の上下方向に配列させるためには、着用時の顔の上下方向に、不織布のＭＤ方向を合わせればよい。
【００１８】
本考案の耳掛け式フェイスマスクに用いる伸縮性不織布は、伸縮性を有していれば特に限定されず、既知の方法で製造された、湿式不織布、乾式不織布、スパンボンド不織布、メルトブローン不織布、スパンボンド不織布とメルトブローン不織布の積層不織布などが使用できる。このうち、スパンボンド不織布、メルトブローン不織布、スパンボンド不織布とメルトブローン不織布の積層不織布は仕上剤（表面処理剤）が使用されていないことから、夾雑物の混入を嫌う化粧品用途に好適に使用できる。
【００１９】
伸縮性不織布の原料繊維としては、エラストマー繊維を用いることが好ましい。エラストマー繊維としては、スチレン系エラストマー繊維、オレフィン系エラストマー繊維、エステル系エラストマー繊維、ポリアミド系エラストマー繊維、及び、ウレタン系エラストマー繊維から選ばれた少なくとも１種のエラストマー繊維であることが好ましい。特に、フェイスマスクの装着時の伸縮性に伴う装着感、伸縮性等に伴う装着安定性などの点で、スチレン系エラストマー繊維、オレフィン系エラストマー繊維、及び、ウレタン系エラストマー繊維から選ばれた少なくとも２種のエラストマー繊維であることが好ましい。
２種以上のエラストマー繊維の混合物としては、例えば、１〜９９質量％のスチレン系エラストマー繊維と９９〜１質量％のオレフィン系エラストマー繊維との混合、１〜９９質量％のウレタン系エラストマー繊維と９９〜１質量％のオレフィン系エラストマー繊維との混合物などを挙げることができる。これら混合するエラストマー繊維の種類や量比によって、フェイスマスクの柔軟性や伸縮性を高くすることができるので、好ましく使用することができる。
【００２０】
本考案でいう打抜き成形とは、不織布等のシートの一部を打ち抜いて所望の形状に成形する手法をいう。この成形加工には、トムソン式カッター、ロータリー式ダイカッター等の汎用のシート材打抜き装置を用いることができる。
【産業上の利用可能性】
【００２１】
本考案の耳掛け式フェイスマスクの使用により、肌への追随性、密着性およびリフトアップ性が高く、消費者の満足度が高い商品を得ることができる。
【符号の説明】
【００２２】
１    フェイスマスク
２    顔型本体
３    テープ部分
４    テープ部分
５    切り込み（目に対応する位置）
６    切り込み（目に対応する位置）
７    切り込み（鼻に対応する位置）
８    開口部（口に対応する位置）
９    開口部（耳掛け孔）
１０    開口部（耳掛け孔）
１１    伸縮性不織布のＭＤ方向を示す矢印
【図１】
0003190727.tif 000003